(57)【特許請求の範囲】
【請求項１】
回転濾過ドラムがパルプ懸濁液の液面から該回転濾過ドラムの中心以上浸漬されるように濁槽内で保持されており、
前記回転濾過ドラムは、両面がワイヤークロスと孔明板によって被覆された複数のディスクセクターが外側の円周方向に設けられてなるディスクフィルターを有するとともに、前記ディスクセクターの内側に各々軸方向に延長し１つずつの排出を有する複数の小室と、前記回転濾過ドラムと一緒に回転するセンタードラムを有し、
該センタードラムには順次スパイラル状に配列されたサクションパイプが設けられて、前記各ディスクセクターから前記小室を通り入った濾液が前記サクションパイプにより前記センタードラムに噴出し、
前記センタードラムの片側又は両側に設けられたシールボックスで堰を設けてシールされ、前記センタードラムの中を通ってセンターパイプが固定されており、
前記センターパイプにはドクターが取り付けられて、前記センタードラムに集められた濾液が前記ドクターに水封され、前記回転濾過ドラムの回転に伴ってセンタードラム内に浸入する濾液に追い出される空気が、前記ドクターに導かれてサクションパイプを経て前記各小室に分散して前記ディスクセクターを経てディスク両面に附着した纎維マットを剥離するように構成したことを特徴とする、
センターサクションレグレスディスクフィルター。
【発明の詳細な説明】
【技術分野】
【０００１】  本発明は、センターサクションレグレスディスクフイルターに関するものである。
【背景技術】
【０００２】  本発明は先きに提出した従来のセンターバルブレスサクションフイルターを改良したものである。
【特許文献１】特開２００４−２９０９５２号公報
【発明の開示】
【発明が解決しようとする課題】
【０００３】  本発明は、濾過面積が大きく、レグを必要とする２階に据付ける必要のないレグレスタイプのセンターサクションレグレスディスクフイルターを提供するものである。
【課題を解決するための手段】
【０００４】  請求項１記載の発明は、回転濾過ドラムがパルプ懸濁液の液面から該回転濾過ドラムの中心以上浸漬されるように濁槽内で保持されており、前記回転濾過ドラムは、両面がワイヤークロスと孔明板によって被覆された複数のディスクセクターが外側の円周方向に設けられてなるディスクフィルターを有するとともに、前記ディスクセクターの内側に各々軸方向に延長し１つずつの排出を有する複数の小室と、前記回転濾過ドラムと一緒に回転するセンタードラムを有し、該センタードラムには順次スパイラル状に配列されたサクションパイプが設けられて、前記各ディスクセクターから前記小室を通り入った濾液が前記サクションパイプにより前記センタードラムに噴出し、前記センタードラムの片側又は両側に設けられたシールボックスで堰を設けてシールされ、前記センタードラムの中を通ってセンターパイプが固定されており、前記センターパイプにはドクターが取り付けられて、前記センタードラムに集められた濾液が前記ドクターに水封され、前記回転濾過ドラムの回転に伴ってセンタードラム内に浸入する濾液に追い出される空気が、前記ドクターに導かれてサクションパイプを経て前記各小室に分散して前記ディスクセクターを経てディスク両面に附着した纎維マットを剥離するように構成したことを特徴とする、センターサクションレグレスディスクフィルターである。
【発明の効果】
【０００５】  本発明のセンターサクションレグレスディスクフイルターは、従来のセンターバルブレスサクションフイルターを改良し、孔明板の代りにディスクセクターを取り付けセクターの両面で作用し濾過面積を大巾に増加し又サクションレグも増大させレグを不要とさせ、１階の組立現場で操業出来るようにした。
【発明を実施するための最良の形態】
【０００６】以下、実施例を示す図面に基づいて本発明を詳細に説明する。
【実施例１】
【０００７】図１は本発明の実施例１を示す平面図、図２は、図１のＡ−Ａ断面図、図３（ａ）（ｂ）（ｃ）は、それぞれ図１のディスクセクターの平面図、正面図、右側面図、図４は、図１のＢ−Ｂ断面図、図５は、図１のＣ−Ｃ断面図、図６（ａ）（ｂ）（ｃ）は、それぞれ図１のディスクセクターの組立による多角形体の夫々を外側の連結部分より夫々各１ケの連結板で連結した状態の説明図、連結板の平面図、連結板の正面図、図７は、図１のディスクセクターにパルプマットが付着した状態の概略図、図８は、図７のＤ−Ｄ断面図である。以下の説明において、センターサクションレグレスディスクフイルターは、ディスクフイルターと略す。【０００８】図１〜図８において、１はパルプ懸濁液を保持するＳＳ製の濁槽を示しこの濁槽１は導壁２を経てほぼ半円筒形の底３に流入し、この底３に結合した側壁４、５とこの側壁４、５に直角をなす平坦平行な端壁６、７とから成る。濁槽１内において、パルプ懸濁液は、液面が回転濾過ドラム１０ａの中心より高く保持されている。【０００９】  一緒に回転するセンタードラム１３は、先細りのセンターサクションパイプ１２を介して、両面がワイヤークロス９と孔明板８によって被覆されたディスクセクター１０に接続されている。ディスクフイルターは、ディスクセクター１０の内側に軸方向に延長した小室１１ａを持ち、ディスクの回転につれてディスクセクター１０の外側より内側に流下した濾液が、小室１１ａにおいて、各自一つづつの排出によって１ケ所に集められて一緒に回転するセンタードラム１３に噴出するようにしたものである。【００１０】  センタードラム１３の中を通ってセンターパイプ２４が固定され、センターパイプ２４には、バー２７ａが水平より略１５度位上向きに保持されるとともに、先端に合成樹脂製の刃先を持ったドクター２５、２６が保持されている。濾液は、センタードラム１３の中を通ってバー２７ａ、ドクター２５、２６と両端２７、２８で水封され、センタードラム１３を流れる濾液、即ちクリアー水が片方又は両方で排水されるシールボックス１７、１８、堰１９、２０を経て流出する構造である。【００１１】  また、ディスク両面に附着したパルプマット１１は、ワイヤークロス９とディスクセクター１０を通りインナードラム１４に入った濾液によって急速に押し出された空気がセンターパイプ２４に取りつけたドクター２５、２６に導かれてサクションパイプ１２を経て各ディスクセクター１０に分散して各ディスク内部よりパルプマット１１を浮き上げさせて剥ぎ取りを容易に行えるようにし、パルプマット１１をディスクセクター１０の間から落下させるようにしてある。【００１２】  シリンダーの回転数を上げて処理し濾液を中心に集めることで力学的に駆動馬力を最小にし、センタードラム１３を中心にしてディスクを懸濁液中に中心以上浸漬させ、液面より出た所で濾液がワイヤークロス９とディスクセクター１０を経て、最短距離を取り、スパイラル状に配置されたサクションパイプ１２を通り、センタードラム１３に流入し片側又は両側に設けられたシールボックス１７、１８の堰１９、２０を通り纎維質懸濁液即ちクリアー水が流出する。【００１３】また、センタードラム１３の底部���前半部の固定したバーの間のセンターパイプ２４の穴４１を通じて最初に入った纎維質の多い懸濁液即ちクラウデイがセンターパイプ２４の片方又は両方から流出され原料の濾水度と処理量及び入口濃度の変化等に対応可能となるようコントロール出来るようにしてある。【００１４】  このように、ドラムにディスクセクター１０を多数取り付けることにより濾過面積を増し、浮力を減らし、センタードラム１３の支持も３点コロ支持で良く、ディスクを含めた直径が大きくなり１階に据付てもサクションレグを不要としインナードラム１４、で輸送しディスクセクター１０を組立てた所で操業可能となりレグレスタイプとして１階設置でよいものである。
【図面の簡単な説明】
【００１５】
【図１】本発明の実施例１を示す平面図である。
【図２】図１のＡ−Ａ断面図である。
【図３】（ａ）（ｂ）（ｃ）は、それぞれ図１のディスクセクターの平面図、正面図、右側面図である。
【図４】図１のＢ−Ｂ断面図である。
【図５】図１のＣ−Ｃ断面図である。
【図６】（ａ）（ｂ）（ｃ）は、それぞれ図１のディスクセクターの組立による多角形体の夫々を外側の連結部分より夫々各１ケの連結板で連結した状態の説明図、連結板の平面図、連結板の正面図である。
【図７】図１のディスクセクターにパルプマットが付着した状態の概略図である。
【図８】図７のＤ−Ｄ断面図である。
【符号の説明】
【００１６】１  濁槽
２  導壁
３  ほぼ半円筒形の底
４，５  側壁
６，７  端壁
８  孔明板
９  ワイヤークロス
１０  ディスクセクター
１１  パルプマット
１２  サクションパイプ
１３、センタードラム
１４、インナードラム先に特許申請したシリンダー本体の内各ディスクセクター取り付部分を除いた部分はめくらにしてディスクセクターを取り付後ディスクセクターを分解した残りのシリンダードラム。
１５，１６  センタードラム端の窓
１７，１８  シールボックス
１９，２０  堰
２１，２２  センターパイプの端
２３  シュートボックス
２４  センターパイプ
２５，２６  センターパイプに熔接され先端に合成樹脂製ドクター
２７  略、々水平より１５ー位上向きにつけられたバー
２８，２９  両サイドの合成樹脂製の保水板
３０，３１  ３点コロ軸承
３２  駆動装置
３３，３４，３５  グランドパッキン
３６，３７  クリアー水出口
３８  目洗いシヤワーパイプ
３９  シヤワーノズル
４０  シヤワヘヅーパイプ
４１  センターパイプの穴
４２  ディスクセクターの間隔
４３  インナードラムの半径
４４  連結板
【図１】
0004564877.tif 000002
【図２】
0004564877.tif 000003
【図３】
0004564877.tif 000004
【図４】
0004564877.tif 000005
【図５】
0004564877.tif 000006
【図６】
0004564877.tif 000007
【図７】
0004564877.tif 000008
【図８】
0004564877.tif 000009